(57)【要約】収納容器１０は、可撓性を有し、内部に流入口１２ａと排気口１３ａとが配設された容器本体１１と、容器本体１１に収容され、流入口１２ａから容器本体１１内に流入する液体を吸収する吸水構造体２０と、を有している。吸水構造体２０は、透水性を有するシート材２１と、シート材２１に内包された吸水部材２７と、を含む。容器本体１１の内に複数の吸水部材２７が配設されて、隣り合う２つの吸水部材２７により容器本体１１と吸水構造体２０との間に流路３３を形成する。
2018092802.tif 000002
【特許請求の範囲】
【請求項１】
可撓性を有し、内部に液体及び気体が流入する流入口と気体を排出する排気口とが配設された容器本体と、
前記容器本体に収容され、前記流入口から前記容器本体内に流入する液体を吸収する吸水構造体と、
を有し、
前記吸水構造体は、吸水部材を有し、前記容器本体の内面に沿って複数並設され、
前記容器本体と前記複数の吸水構造体により、複数の溝部を形成し、
前記複数の溝部は、前記流入口と前記排気口とを連通し気体が通過可能な複数の流路を形成する、
収納容器。
【請求項２】
可撓性を有し、内部に液体及び気体が流入する流入口と気体を排出する排気口とが配設された容器本体と、
前記容器本体に収容され、前記流入口から前記容器本体内に流入する液体を吸収する吸水構造体と、
を有し、
前記吸水構造体は、複数の吸水部材を有し、当該複数の吸水部材は前記容器本体の内面に沿って並設され、
前記容器本体と前記吸水構造体により、複数の溝部を形成し、
前記複数の溝部は、前記流入口と前記排気口とを連通し気体が通過可能な複数の流路を形成する、
収納容器。
【請求項３】
前記流路を３以上有する、請求項１または２に記載の収納容器。
【請求項４】
複数の前記吸水構造体は、前記容器本体の内面又は前記容器本体に収容された支持板に取着される、請求項１に記載の収納容器。
【請求項５】
前記流入口は前記容器本体の下部に配設され、前記排気口は前記容器本体の上部に配設される、請求項１〜４の何れか１項に記載の収納容器。
【請求項６】
前記容器本体は対向する一対の辺を有するように形成され、
前記流入口は前記一対の辺のうちの一方の辺の側に配設され、前記排気口は前記一対の辺の内の他方の辺の側に配設される、請求項１〜５の何れか１項に記載の収納容器。
【請求項７】
前記流路は前記容器本体の一対の辺の伸長方向に設けられている、請求項１〜５のいずれか１項に記載の収納容器。
【請求項８】
前記吸水部材は透水性を有するシート材に内包されている、請求項１〜７の何れか１項に記載の収納容器。
【請求項９】
前記シート材は不織布である、請求項８に記載の収納容器。
【請求項１０】
請求項１〜９のいずれか１項に記載の収納容器と、
前記収納容器の排気口に接続され、前記収納容器内の気体を吸引する吸引源と、
を有する収納モジュール。
【発明の詳細な説明】
【技術分野】
【０００１】
本発明は、収納容器及び収納モジュールに関する。
【背景技術】
【０００２】
従来、生体排液の収納容器が各種提案されている（例えば、特許文献１参照）。このような収納容器は、尿など人の力が駆動源となり排出される生体排液の収納や、導尿カテーテル等によって自然排出される生体排液の収納、等の用途に用いられる。
【先行技術文献】
【特許文献】
【０００３】
【特許文献１】特開２０１３−１６９４１４
【発明の概要】
【発明が解決しようとする課題】
【０００４】
ところで、例えば咽頭部に挿入したカフにより貯留する液体等のように、人の力による排出や自然排出することが出来ない場合、吸引ポンプ等の吸引源を用いて排出される。吸引源を上記のような収納容器に接続した場合、吸引源の吸引力によって収納容器が萎んでしまい、液体の吸引を継続することが困難となる。【０００５】
本発明は上記問題点を解決するためになされたものであって、その目的は、吸引源を用いた生体排液の吸引の継続を可能とした収納容器及び収納モジュールを提供することにある。
【課題を解決するための手段】
【０００６】
上記課題を解決する収納容器は、可撓性を有し、内部に液体及び気体が流入する流入口と気体を排気する排気口とが配設された容器本体と、前記容器本体に収容され、前記流入口から前記容器本体内に流入する液体を吸収する吸水構造体と、を有し、前記吸水構造体は、吸水部材を有し、前記容器本体の内面に沿って複数並設され、前記容器本体と前記複数の吸水構造体により複数の溝部を形成し、前記複数の溝部は、前記流入口と前記排気口とを連通し気体が通過可能な複数の流路を形成する。【０００７】
この構成によれば、例えば収納容器の排気口に吸引源が接続され、その吸引源により、流入口から液体を容器本体内に吸引する。容器本体に収容された吸水部材を有する吸水構造体は、容器本体の内面に沿って複数並設され、容器本体内の液体を吸水する。容器本体と複数の吸水構造体とにより形成される複数の溝部が、流入口と前記排気口とを連通し気体が通過可能な複数の流路を形成することにより、当該複数の流路を介して容器本体内の気体が吸引源に吸引されるため、容器本体内が陰圧となり吸引源の吸引を継続して行うことで容器本体の外部から流入口を介して液体を容器本体内に吸引することができる。また、可撓性を有する容器本体が吸引源の吸引により撓んでも、複数の溝部の大きさ（幅、深さ）を適宜設定することにより、流路を確保することができる。また、容器本体の内面に沿って並設された複数の吸水構造体がそれらの間に一つ以上の溝部を形成し、この溝部が気体の流路を形成し得る。容器本体の内部における吸水構造体の配置の自由度が高くなり、吸水構造体を収納容器の使用形態に応じて複数領域に配置できる。例えば、複数の吸水構造体を同一面内における異なる領域に、例えば、規則的なまたは不規則的な平面パターン（タイル状、モザイク状等）で、隙間をおかずに隣接して、または隙間をおいて分離して、配置できる。吸水構造体の第１組と吸水構造体の第２の組とを重ねて配置でき、容器本体の内部に吸水構造体の２層または多層積層体を配置することができる。複数の吸水構造体の大きさおよび／または形状を、例えば収納容器の使用形態および／または容器本体の形状に応じて適宜設定できる。例えば、複数の吸水構造体は、同じ形状でもよく、異なる形状でもよく、同じ大きさでもよく、異なる大きさでもよい。【０００８】
上記課題を解決する収納容器は、可撓性を有し、内部に液体及び気体が流入する流入口と気体を排出する排気口とが配設された容器本体と、前記容器本体に収容され、前記流入口から前記容器本体内に流入する液体を吸収する吸水構造体と、を有し、前記吸水構造体は、複数の吸水部材を有し、当該複数の吸水部材は前記容器本体の内面に沿って並設され、前記容器本体と前記吸水構造体により複数の溝部を形成し、前記複数の溝部は、前記流入口と前記排気口とを連通し気体が通過可能な複数の流路を形成する。【０００９】
この構成によれば、例えば収納容器の排気口に吸引源が接続され、その吸引源により、流入口から液体を容器本体内に吸引する。吸水構造体は、複数の吸水部材を有し、容器本体の内面に沿って並設されており、容器本体内の液体を吸水する。容器本体と吸水構造体とにより形成される複数の溝部が、流入口と前記排気口とを連通し気体が通過可能な複数の流路を形成することにより、当該複数の流路を介して容器本体内の気体が吸引源に吸引されるため、容器本体内が陰圧となり吸引源の吸引を継続して行うことで容器本体の外部から流入口を介して液体を容器本体内に吸引することができる。例えば、複数の吸水部材を含む１つの吸水構造体と容器本体とにより複数の溝部を形成することができる。そして、可撓性を有する容器本体が吸引源の吸引により撓んでも、複数の溝部の大きさ（幅、深さ）を適宜設定することにより、流路を確保することができる。【００１０】
また、容器本体の内面に沿って並設された複数の吸水構造体がそれらの間に一つ以上の溝部を形成し、この溝部が気体の流路を形成し得る。容器本体の内面に沿って並設された、１つのまたは各吸水構造体に含まれる複数の吸水部材がそれらの間に一つ以上の溝部を形成し、この溝部が気体の流路を形成し得る。【００１１】
上記収納容器は、前記流路を３以上有することが好ましい。
この構成によれば、少なくとも１つ以上の流路が吸水構造体に挟まれて構成される。このため、容器本体の外部から流入口を介して流入した液体と吸水部材との接触面積を増加させることができ、より多くの液体を吸引することができる。また、吸水部材が流入口より流入した液体を吸水し膨張することで１つの流路が閉塞された場合であっても、他の流路が流入口と排気口とを連通状態に保つことが可能となり、容器本体の外部から流入口を介して液体を容器本体内に吸引することを継続することができる。【００１２】
上記の収納容器において、複数の前記吸水構造体は、前記容器本体の内面又は前記容器本体に収容された支持板に取着されることが好ましい。
この構成によれば、複数の吸水構造体の位置を固定することで、隣り合う吸水構造体の間隔を設定することで、吸引源によって可撓性を有する容器本体が撓んでも、容器本体と２つの吸水構造体とにより囲まれる流路を確保することができる。【００１３】
上記の収納容器において、前記流入口は前記容器本体の下部に配設され、前記排気口は前記容器本体の上部に配設されることが好ましい。
この構成によれば、容器本体の下部に配設された流入口から液体が流入し、容器本体の上部に配設された排気口から容器本体内の気体が流出する。このため、排気口に液体が到達し難く、液体が排気口から流出し難い。【００１４】
上記の収納容器において、前記容器本体は対向する一対の辺を有するように形成され、前記流入口は前記一対の辺のうちの一方の辺の側に配設され、前記排気口は前記一対の辺の内の他方の辺の側に配設されることが好ましい。【００１５】
この構成によれば、流入口と排気口との間の距離を確保することができる。一方の辺の側に配設された流入口から流入する液体は、吸水構造体の吸水部材に吸収される。このため、排気口に液体が到達し難く、液体が排気口から流出し難い。【００１６】
上記の収納容器において、前記流路は前記容器本体の一対の辺の伸長方向に設けられていることが好ましい。この構成によれば、効率良く吸水構造体を配置することができる。
上記の収納容器において、前記吸水部材は透水性を有するシート材に内包されていることが好ましい。この構成によれば、シート材による吸水部材の内包によって吸水構造体を容器本体内に効率良く配置することができる。透水性を有するシート材は、例えば毛管現象によって容器本体内の液体を吸水部材に導くことができ、流路を気体の流通可能状態に維持するのに貢献し得る。また、吸水部材がシート材によって内包されるので、吸水部材として利用可能な吸水部材の形態が増加する。例えば粉末吸水部材及び粒状吸水部材などの非ブロック状吸水部材が利用可能となる。【００１７】
上記の収納容器において、前記シート材は不織布であることが好ましい。
この構成によれば、不織布は透水性が良く、容器本体に流入する液体が不織布のシート材を介して吸水部材によく吸収される。【００１８】
上記課題を解決する吸引モジュールは、上記の収納容器と、前記収納容器に接続され、前記収納容器内の気体を吸引する吸引源と、を有する。
この構成によれば、収納容器に接続された吸引源により、収納容器内が陰圧となり、流入口から液体を容器本体内に吸引する。容器本体に収容された吸水構造体は、シート材に内包された吸水部材を含む。隣り合う２つの吸水部材は、容器本体と吸水構造体との間に流入口と排気口とを連通する流路を形成する。この流路を介して容器本体内の気体が吸引源に吸引されるため、吸引源の吸引を継続して容器本体の外部から流入口を介して液体を容器本体内に吸引することを可能とすることができる。
【発明の効果】
【００１９】
本発明の収納容器及び収納モジュールによれば、吸引源を用いた生体排液の吸引の継続を可能とすることができる。
【図面の簡単な説明】
【００２０】
【図１】（ａ）は第一実施形態の収納容器を示す概略正面図、（ｂ）は吸水構造体を示す概略正面図、（ｃ）収納容器を示す概略平断面図。
【図２】（ａ）（ｂ）（ｃ）は収納容器の作用を示す概略断面図。
【図３】（ａ）は収納容器とカフ付き気管チューブを示す模式図、（ｂ）は気管チューブの使用状態を示す模式図。
【図４】（ａ）は第二実施形態の収納モジュールを示す概略平面図、（ｂ）は第二実施形態の収納モジュールを示す概略縦断面図。
【図５】（ａ）〜（ｃ）は、変形例の吸水構造体を示す概略図。
【図６】（ａ）（ｂ）は、変形例の収納容器を示す概略断面図。
【発明を実施するための形態】
【００２１】
以下、各形態を説明する。
なお、添付図面は、理解を容易にするために構成要素を拡大して示している場合がある。構成要素の寸法比率は実際のものと、または別の図面中のものと異なる場合がある。また、断面図では、理解を容易にするために、一部の部材のハッチングを梨地模様に代えて示し、一部の部材のハッチングを省略している場合がある。
【００２２】
（第一実施形態）
先ず、本実施形態の収納容器の適用例を説明する。
図３（ａ）に示すように、収納容器１０は、容器本体１１と、容器本体１１に接続された吸入管１２及び排出管１３を有している。吸入管１２は、カフ付き気管チューブ５０に接続され、排出管１３は吸引源４０に接続される。
【００２３】
カフ付き気管チューブ５０は、気管チューブ５１、カフ５２を有している。カフ５２は、気管チューブ５１の先端部において、その気管チューブ５１の外周の所定位置に設けられている。気管チューブ５１の壁部内には、カフ５２の内部と連通する流路（図示略）が形成されている。カフ５２は、その流路を介して供給される空気により膨張する。気管チューブ５１の壁部内には、吸引路５３が形成されている。吸引路５３は、気管チューブ５１の外側面に形成された開口部５４により気管チューブ５１の外部と連通している。開口部５４は、カフ５２より上部の所定部位に形成されている。また、吸引路５３は、接続管５５と接続されている。収納容器１０の吸入管１２は、この接続管５５に接続される。
【００２４】
図３（ｂ）に示すように、気管チューブ５１は、被検体の口腔９０から気管９２へ挿入される。これにより、人工呼吸器の使用時に、気管挿管で気道が確保される。このとき、喉頭蓋９３は常に開かれた状態となるため、挿入された気管チューブ５１と気管９２の内壁９２ａとの間の隙間から、気管９２内に唾液等の分泌物が流入するおそれがある。なお、図に示す符号９４は食道である。
【００２５】
このような分泌物の流入を防止するため、気管チューブ５１に設けられたカフ５２を供給する空気によって膨張させる。膨張したカフ５２は、気管９２の内壁９２ａに接触し、気管チューブ５１と気管９２の内壁９２ａとの間の隙間を閉塞する。このようなカフ付き気管チューブ５０を用いることで、気管チューブ５１により気道を確保しつつ、カフ５２により気管９２から肺への分泌物等の流入を防止することができる。
【００２６】
そして、図３（ａ）に示す吸引源４０を駆動させる。すると、カフ５２の上部に貯留した分泌物等が開口部５４から吸引路５３に吸引される。そして、吸引路５３に吸引された分泌物等は、接続管５５及び吸入管１２を介して収納容器１０の容器本体１１に流れ込み、この容器本体１１に生体排液として収納される。
【００２７】
次に、本実施形態の収納容器を説明する。
図１（ａ）に示すように、収納容器１０は、容器本体１１を有している。容器本体１１は、例えば上下方向（重力方向ともいう）に長い長方形状に形成されている。なお、本明細書において、「長方形状」には、角部が面取りされた長方形や、角部が丸められた長方形が含まれるものとする。
【００２８】
容器本体１１の上端部には、吊り下げ部としての吊り下げ穴１４が形成されている。吊り下げ穴１４は、収納容器１０を例えばベッドの側部、点滴ラック、人工呼吸器ラックに吊り下げるために用いられる。なお、図１（ａ）には２つの吊り下げ穴１４を示しているが、１つ又は３つ以上の吊り下げ穴をもうけてもよい。また、複数の吊り下げ穴のうちの１つを収納容器１０の吊り下げに用いるようにしてもよい。
【００２９】
容器本体１１は、可撓性を有している。この可撓性を有する容器本体１１の材料としては、例えばポリエチレン、ポリプロピレン、ポリ塩化ビニル、エチレン酢酸ビニル重合体等を用いることができる。
【００３０】
図１（ｃ）に示すように、容器本体１１は、一対の可撓性シート材１５ａ，１５ｂを有している。図１（ａ）に示すように、可撓性シート材１５ａ，１５ｂは、周縁部の全周を互いに接合されている。可撓性シート材１５ａ，１５ｂの接合方法としては、熱融着、接着剤、等を用いることができる。なお、図１（ａ）において、紙面表側を可撓性シート材１５ａ、紙面裏側を可撓性シート材１５ｂとする。
【００３１】
図１（ａ）に示すように、容器本体１１には、吸入管１２と排出管１３とが取着されている。吸入管１２及び排出管１３は、例えば円筒状に形成されている。
可撓性シート材１５ａには、挿入口１６が形成されている。吸入管１２の先端は、その挿入口１６から容器本体１１の内部へと挿入されている。吸入管１２は、その先端の流入口１２ａが容器本体１１の下部１１ａに位置するように、容器本体１１に固定されている。挿入口１６において、可撓性シート材１５ａは吸入管１２の外周面に、例えば熱圧着や接着剤により密着している。
【００３２】
図１（ａ）に示すように、可撓性シート材１５ａには、挿入口１７が形成されている。排出管１３の先端は、その挿入口１７から容器本体１１の内部へと挿入されている。そして、排出管１３は、その先端の排気口１３ａが容器本体１１の上部１１ｂに位置するように容器本体１１に固定されている。挿入口１７において、可撓性シート材１５ａは排出管１３の外周面に、例えば熱圧着や接着剤により密着している。
【００３３】
容器本体１１の内部にはフィルタ１８が取着されている。フィルタ１８は例えば疎水性フィルタである。このフィルタ１８は、容器本体１１の内部において、排出管１３の排気口１３ａを覆うように配設されている。このフィルタ１８により、液体（生体排液）が排出管１３を通って吸引源４０まで到達しないので、液体による吸引源４０の故障を抑制することができる。
【００３４】
図１（ａ）に示すように、容器本体１１は、吸水構造体２０を収容している。吸水構造体２０は、容器本体１１に流入する生体排液を吸収する。
図１（ｃ）に示すように、吸水構造体２０は、シート材２１と複数の吸水部材２７とを有している。複数の吸水部材２７は、シート材２１に内包されている。図１（ｂ）に示すように、シート材２１は、長方形状に形成されている。複数の吸水部材２７は、シート材２１により、吸水構造体２０の全体に対して分散して配置されている。
【００３５】
シート材２１としては、例えば不織布や低密度パルプなどの繊維素材のものを用いることができる。吸水部材２７としては、吸水性高分子材料（吸水ポリマー）等を用いることができる。
【００３６】
本実施形態において、シート材２１は、一対のシート２２ａ，２２ｂを接合して形成されている。シート材２１は、一対のシート２２ａ，２２ｂの周縁部を互いに接合した第１の接合部２３を有している。そして、シート材２１は、第１の接合部２３の内側を複数の領域２５に区画するようにシート２２ａ，２２ｂを互いに接合した第２の接合部２４を有している。なお、図１（ｂ）では、領域２５を実線にて示すと共に梨地のハッチングを付して判り易くしている。図１（ｃ）に示すように、吸水部材２７は、第１の接合部２３と第２の接合部２４とにより区画された複数の領域２５に収納されている。図１（ｂ）及び図１（ｃ）に示す例では、複数の吸水部材２７は、容器本体２０１の内面に沿って並設される。
【００３７】
本実施形態において、第１の接合部２３は、例えば熱圧着（ヒートシール）、接着剤、縫合、等により、シート２２ａ，２２ｂを互いに接合して形成される。第２の接合部２４は、例えば熱圧着（ヒートシール）、接着剤、等により、シート２２ａ，２２ｂが互いに剥離可能に接合されている。なお、第２の接合部２４は、シート材２１に内包した吸水部材２７の膨張により剥離するように接合される。図１（ｃ）において、第２の接合部２４に付した模様（梨地）は、第１の接合部２３に比べて弱い接合で剥離可能であることを示している。
【００３８】
図１（ｃ）に示すように、吸水構造体２０は、シート材２１と、シート材２１に分散して内包した吸水部材２７により、表面に凹凸を有している。詳しくは、シート材２１は、シート２２ａ，２２ｂを互いに接合した第１の接合部２３と第２の接合部２４とを有している。吸水部材２７は、第１の接合部２３と第２の接合部２４とにより区画された領域２５に収容されている。従って、吸水構造体２０において、吸水部材２７を収容した部分の厚みに比べ、第１の接合部２３と第２の接合部２４の部分の厚みは薄い。このため、吸水部材２７を収容した部分が凸部３１となり、第２の接合部２４の部分が凹部３２となる。図１（ｃ）に示すように、容器本体１１と吸水構造体２０（凸部３１と凹部３２との段差）とによって複数の溝部が形成される。当該複数の溝部は、収納容器１０の使用時に気体の流路３３として機能する。
【００３９】
次に、上記の収納容器１０の作用を説明する。
図３（ａ）に示すように、収納容器１０の吸入管１２は、カフ付き気管チューブ５０の接続管５５に接続される。また、収納容器１０の排出管１３は、吸引源４０に接続される。吸引源４０を作動させると、この吸引源４０により容器本体１１の内部の気体が吸引される。そして、収納容器１０を介してカフ付き気管チューブ５０の開口部５４から、図３（ｂ）に示す気管９２に貯留した液体（生体排液）を吸引する。
【００４０】
図２（ａ）に示すように、容器本体１１は可撓性を有しているため、内部の気体の吸引によって萎む。このとき、容器本体１１に収容された吸水構造体２０は、表面に凹部３２と凸部３１とを有している。具体的には、吸水構造体２０は、シート材２１と、シート材２１に内包した吸水部材２７とを有している。吸水部材２７を収容した部分が凸部３１となり、第２の接合部２４を形成した部分が凹部３２となる。なお、図２（ａ）では、容器本体１１と吸水構造体２０とを判り易くするため、吸水構造体２０の凸部３１から容器本体１１を離間させて示している。以下の説明に用いる図２（ｂ）及び図２（ｃ）でも同様である。
【００４１】
容器本体１１と吸水構造体２０（凸部３１、凹部３２）とにより複数の溝（空間）が形成される。この溝は、凹部３２の形状（凸部３１の形状）に応じた大きさ（幅、深さ）を有する。この溝は、吸引源４０が吸引する気体の流路３３となる。この流路３３は、凹部３２の大きさ（凹部３２の幅、深さ）に応じて設定される。図３（ａ）に示す吸引源４０により、容器本体１１の内部の気体が吸引源４０に吸引され、可撓性を有する容器本体１１は撓む。このように撓む容器本体１１が、吸水構造体２０の第２の接合部２４から離間した状態を保つ、つまり容器本体１１が第２の接合部２４に接しないように、凹部３２の大きさが設定される。
【００４２】
つまり、吸引源４０を接続した収納容器１０において、吸引源により吸引される気体のための流路３３を確保する。このように確保した流路３３により、吸引源４０による吸引を継続することができる。
【００４３】
カフ付き気管チューブ５０により吸引された液体（生体排液）は、図１（ａ）に示す吸入管１２の流入口１２ａから容器本体１１の内部へ流入する。
吸水構造体２０は、シート材２１と、シート材２１に内包された吸水部材２７とを有している。シート材２１は、透水性を有している。容器本体１１に流入した液体は、シート材２１を通過して吸水構造体２０により吸収される。従って、流路３３が液体により満たされ難い。このため、気体のための流路３３を継続して確保することができる。
【００４４】
また、シート材２１としては、例えば不織布が用いられる。このようなシート材２１は、液体の浸透性を有している。このため、容器本体１１の内部の液体を、シート材２１により上方へと吸い上げ、吸水構造体２０の全体に液体を行き渡らせることができる。これにより、吸水構造体２０に含まれる複数の吸水部材２７に液体を吸収させることができる。
【００４５】
図２（ｂ）に示すように、吸水構造体２０の吸水部材２７は、容器本体１１の内部へ流入する液体を吸収し、膨張する。そして、吸水部材２７の膨張により、図２（ｃ）に示すように、第２の接合部２４（図２（ｂ）参照）が剥離、つまりシート２２ａ，２２ｂが互いに剥離する。この第２の接合部２４の剥離により、吸水部材２７が更に膨張することで、多くの液体を吸水部材２７に吸水させることができる。
【００４６】
なお、吸水部材２７が初期状態から膨張開始し、第２の接合部２４が剥離する直前までの吸水部材２７の吸水状態であるときの流路３３の流路面積（図２（ｂ）参照）は、吸水部材２７が初期状態であるときの流路３３の流路面積（図２（ａ）参照）よりも増加し得る。図２（ｃ）は、吸水部材２７が充分に吸水した状態において、容器本体１１と吸水構造体２０（例えば第１の接合部２３）により、重力方向に延在する少なくとも２つの流路３３が気体の流通可能状態に維持されることを示す。
【００４７】
以上記述したように、本実施形態によれば、以下の効果を奏する。
（１−１）収納容器１０は、可撓性を有し、内部に流入口１２ａと排気口１３ａとが配設された容器本体１１と、容器本体１１に収容され、流入口１２ａから容器本体１１内に流入する液体を吸収する吸水構造体２０と、を有している。吸水構造体２０は、透水性を有するシート材２１と、シート材２１に内包された吸水部材２７と、を含む。容器本体１１の内に複数の吸水部材２７が配設されて、容器本体１１と吸水構造体２０（隣り合う２つの吸水部材２７）とにより複数の溝部が形成され、当該複数の溝部は、流入口１２ａと排気口１３ａとを連通し気体が通過可能な複数の流路３３を形成する。
【００４８】
収納容器１０は吸引源４０に接続され、その吸引源４０により、流入口１２ａから液体を容器本体１１内に吸引する。容器本体１１に収容された吸水構造体２０は、シート材２１に内包された吸水部材２７を含む。隣り合う２つの吸水部材２７は、容器本体１１と吸水構造体２０との間に流路３３を形成する。この流路３３を介して容器本体１１内の気体が吸引源４０に吸引されるため、吸引源４０の吸引を継続して容器本体１１の外部から流入口１２ａを介して液体を容器本体１１内に吸引することを可能とすることができる。
【００４９】
（１−２）吸水構造体２０は、シート材２１に内包された複数の吸水部材２７を有し、隣り合う２つの吸水部材２７は吸水構造体２０の表面に凹部を形成し、凹部と容器本体１１とにより流路３３を形成する。１つの吸水構造体２０に含まれる２つの吸水部材２７により凹部が形成され、その凹部と容器本体１１との間に流路３３が容易に形成される。そして、可撓性を有する容器本体１１が吸引源４０の吸引により撓んでも、凹部の大きさ（幅、深さ）を適宜設定することにより、流路３３を確保することができる。
【００５０】
（１−３）収納容器１０において、流入口１２ａは容器本体１１の下部１１ａに配設され、排気口１３ａは容器本体１１の上部に配設される。容器本体１１の下部１１ａに配設された流入口１２ａから液体が流入し、容器本体１１の上部に配設された排気口１３ａから容器本体１１内の気体が流出する。このため、排気口１３ａに液体が到達し難く、吸水部材２７が充分な量の液体を吸収する前に、液体がフィルタ１８に到達して、フィルタ１８の通気性が失われてしまうことがないので、収納容器１０を効率的に使用することができる。
【００５１】
（１−４）シート材２１は不織布である。不織布は透水性が良く、容器本体１１に流入する液体が不織布のシート材２１を介して吸水部材２７によく吸収させることができる。また、不織布は、液体の浸透性を有している。このため、容器本体１１の内部の液体を、シート材２１により上方へと吸い上げ、吸水構造体２０の全体に液体を行き渡らせることができる。これにより、吸水構造体２０に含まれる複数の吸水部材２７に液体を吸収させることができる。
【００５２】
（第二実施形態）
次に、第二実施形態を説明する。
なお、この実施形態において、上記実施形態と同じ構成部材については同じ符号を付してその説明の全て又は一部を省略する場合がある。また、説明に現れない部材については図面において符号を省略している場合がある。
【００５３】
図４（ａ）に示すように、この収納モジュール１００は、収納容器１１０と、収納容器１１０に接続された吸引源１４０とを有している。吸引源１４０は、収納容器１１０の上面に取着されている。
【００５４】
収納容器１１０は、容器本体１１１と、容器本体１１１に接続された吸入管１１２とを有している。吸入管１１２は、図３（ａ）に示すカフ付き気管チューブ５０の接続管５５に接続される。容器本体１１１は、吸水構造体２０を収容している。なお、図４（ａ）では、容器本体１１１に収容された吸水構造体２０を実線にて示し、判り易くしている。
【００５５】
図４（ｂ）に示すように、容器本体１１１は、排出管１１３を介して吸引源１４０に接続されている。吸引源１４０は、例えば圧電体ポンプであり、扁平状に形成されている。圧電体ポンプは、吸引量の微調整が容易である。なお、図４（ｂ）は、図４（ａ）において上下方向の断面を示している。
【００５６】
排出管１１３は、その排出管１１３の排気口１１３ａが、吸水構造体２０の第２の接合部２４と対向する位置に配設されている。このように配設すると、排気口１１３ａが吸水構造体２０の凹凸により形成される流路３３に位置するため、流路３３から気体を吸引することが容易となる。
【００５７】
図４（ｂ）に示すように、容器本体１１１には、支持板１５０が収容されている。支持板１５０は、吸水構造体２０の下側に配設されている。支持板１５０は、例えばプラスチックやアクリル樹脂などよりなり、平板状に形成されている。
【００５８】
支持板１５０は、吸水構造体２０による流路３３の確保を容易にする。例えば、支持板を有していない収納容器１１０を柔らかい物（例えば布団など）の上に載置すると、その物によって容器本体１１１が撓み、吸水構造体２０の第２の接合部２４に近づく。これにより、流路が狭くなる。支持板１５０は、柔らかい物による容器本体１１１の撓みを防止する。これにより流路が狭くなることを防止する、つまり流路を確保する。
【００５９】
以上記述したように、本実施形態によれば、以下の効果を奏する。
（２−１）この収納モジュール１００は、収納容器１１０と、収納容器１１０に接続された吸引源１４０とを有している。従って、吸引源を別途用意することなく、生体排液の吸引を可能とすることができる。
【００６０】
（２−２）吸引源１４０は、収納容器１１０の上部に配設されている。この収納モジュール１００は、吊り下げる必要がないため、任意の箇所に配置して生体排液を収容させることができる。
【００６１】
（２−３）収納容器１１０には支持板１５０が収納されている。この支持板１５０により、例えば布団などのように柔らかい物の上に載置することを可能とすることができる。
＜変形例＞
上記各実施形態は、以下の態様で実施してもよい。
【００６２】
なお、上記実施形態と同じ構成部材については同じ符号を付してその説明の全て又は一部を省略する。
・上記実施形態に対し、吸水構造体２０の形状を適宜変更してもよい。
【００６３】
図５（ａ）に示すように、吸水構造体２０ａにおいて、複数の領域２５を互いに同じ形状とし、各領域２５に吸水部材２７（図１（ｃ）参照）を収容するようにしてもよい。この場合、複数（例えば３以上）の流路、具体的には、第２の接合部２４が、上下方向に沿って吸水構造体２０ａの上端と下端との間に連続する流路と、水平方向（図において左右方向）に沿って吸水構造体２０ａの両端の間に連続する流路とを形成する。容器本体の流入口は例えば左下に破線の丸で示す位置に配設され、排気口は右上に破線の丸で示す位置に配設される。なお、流入口と排気口とがそれぞれ左右逆に配設されてもよい。
【００６４】
この吸水構造体２０ａを用いることにより、吸水部材が流入口より流入した液体を吸水し膨張することで１つの流路が閉塞された場合であっても、他の流路が流入口と排気口とを連通状態に保つことが可能となり、容器本体の外部から流入口を介して液体を容器本体内に吸引することを継続することができる。更に、少なくとも１つ以上の流路が吸水構造体に挟まれて構成される。このため、容器本体の外部から流入口を介して流入した液体と吸水部材との接触面積を増加させることができ、より多くの液体を吸引することができる。
【００６５】
図５（ｂ）に示すように、吸水構造体２０ｂにおいて、第２の接合部２４を湾曲して形成してもよい。この吸水構造体２０ｂを用いた場合、上記の吸水構造体２０ａと同様に、容器本体の流入口は例えば左下に破線の丸で示す位置に配設され、排気口は右上に破線の丸で示す位置に配設される。
【００６６】
図５（ｃ）に示すように、吸水構造体２０ｃにおいて、水平方向（図において左右方向）に沿って両端の間に連続する第２の接合部２４を形成してもよい。この吸水構造体２０ｃを用いた場合、上記の吸水構造体２０ａと同様に、容器本体の流入口は例えば左下に破線の丸で示す位置に配設され、排気口は右上に破線の丸で示す位置に配設される。そして、この吸水構造体２０ｃを用いた場合でも、３つ以上の流路を形成することができる。この吸水構造体２０ｃでは、図５（ｃ）に示すルートＡ〜Ｆが気体の流路となる。
【００６７】
・上記実施形態に対し、複数の吸水構造体を容器本体に収容するようにしてもよい。
図６（ａ）に示すように、収納容器２００は、容器本体２０１と、容器本体２０１の内面に沿って並設された２つの吸水構造体２１１，２１２を有している。この例では、２つの吸水構造体２１１，２１２の間の空間を気体の流路２２１として利用することができる。なお、３つ以上の吸水構造体を有する収納容器としてもよい。なお、図６（ａ）では、２つの吸水構造体２１１，２１２が互いに異なる形状にて示しているが、同じ形状の複数の吸水構造体を有する収納容器としてもよい。このように複数の吸水構造体を並設する場合、各吸水構造体２１１，２１２を容器本体２０１の内面に取着する方法や、上記第二実施形態のように支持板１５０を用い、その支持板に各吸水構造体２１１，２１２を取着する方法、等を用いることで、各吸水構造体２１１，２１２を所望の位置に配設することができる。例えば、吸水構造体２１１と吸水構造体２１２の間の間隔を適宜設定することにより、流路２２１の大きさを容易に設定することが可能となる。
【００６８】
図６（ｂ）に示すように、収納容器３００は、容器本体３０１と、容器本体３０１に収容された２つの吸水構造体３１１，３１２を有している。吸水構造体３１１，３１２は、それらの厚さ方向に重ねられている。図６（ｂ）では、同じ形状の吸水構造体３１１，３１２を収容しているが、少なくとも１つの形状が異なる複数の吸水構造体を収容した収納容器としてもよい。また、図６（ｂ）では、同じ形状の吸水構造体３１１，３１２を同じ向きに示しているが、収容方向を変えるようにしてもよい。
【００６９】
・上記各形態では、シート材を接合して複数の領域を形成し、各領域に吸水部材を収容した吸水構造体とした。これに対し、シート材に１つの領域を形成し、その領域に吸水部材を収納した吸水構造体を形成する。この吸水構造体を容器本体内に複数並設してもよい。この場合、図６（ａ）に示す収納容器２００において説明した方法により、各吸水構造体を配設することができる。
【００７０】
・上記実施形態において、図１（ａ）では、収納容器１０の容器本体１１を上下方向に長い縦長の形状としたが、水平方向に長い横長の形状としてもよい。
・上記第二実施形態では、収納容器１１０の上方に吸引源１４０を配設した収納モジュール１００としたが、吸引源１４０を収納容器１１０の側方に配置した収納モジュールとしてもよい。また、長い排出管により収納容器１１０と吸引源１４０とを接続した収納モジュールとしてもよい。
【００７１】
・上記第一実施形態において、収納容器１０と吸引源４０とを含む収納モジュールとしてもよい。
・上記各形態において、第２の接合部２４を、シート２２ａ，２２ｂを剥離不能に接合して形成してもよい。
【００７２】
・上記各形態において、吸水構造体は例えばスポンジのように吸水部材自体が構造体となり得るものとしてもよい。
・実施形態の収納容器（１０、１１０、２００、３００）は吊り下げ式に構成され得る。この場合、収納容器（１０、１１０、２００、３００）の使用時に、複数の気体の流路３３（少なくとも２つの流路３３）が重力方向と実質的に平行に延びるように収納容器（１０、１１０、２００、３００）を構成することが好ましい。この構成によれば、気体と生体排液との分離効率が向上し、流路３３を気体の流通可能状態に維持でき、生体排液の吸引を継続することができる。
【００７３】
・任意の数のまたは全ての流路３３は容器本体（１１、１１１、２０１、３０１）の一対の辺の伸長方向に設けられてよい。収納容器（１０、１１０、２００、３００）は、図示した例のように、一対の長辺及び一対の短辺を有する長方形に限定されず、一つの長軸及び一つの短軸を有する長円または楕円等の細長い形状に構成され得る。少なくとも２つの流路３３は、収納容器（１０、１１０、２００、３００）の長辺または長軸または短辺または短軸と実質的に平行に延在するように構成されてよい。少なくとも２つの流路３３が収納容器（１０、１１０、２００、３００）の一辺と実質的に平行に延在するように収納容器（１０、１１０、２００、３００）を構成することにより、医療従事者であり得る使用者は、少なくとも２つの流路３３が重力方向と実質的に平行に延びた状態で収納容器（１０、１１０、２００、３００）を使用しているかどうかを、流路３３を視認できない場合であっても、収納容器（１０、１１０、２００、３００）の使用形態（例えば配向）を目視によって確認することができる。収納容器（１０、１１０、２００、３００）が吊り下げ式である場合、少なくとも２つの流路３３は、収納容器（１０、１１０、２００、３００）の長辺または長軸と実質的に平行に延在するように構成されることが好ましい。この場合、収納容器（１０、１１０、２００、３００）を吊り下げ状態で安定に使用できる。
【符号の説明】
【００７４】
１０…収納容器、４０…吸引源、１１…容器本体、２０…吸水構造体、２１…シート材、２７…吸水部材、３３…流路。
【図１】
2018092802.tif 000003
【図２】
2018092802.tif 000004
【図３】
2018092802.tif 000005
【図４】
2018092802.tif 000006
【図５】
2018092802.tif 000007
【図６】
2018092802.tif 000008
【手続補正書】
【提出日】平成30年8月28日(2018.8.28)
【手続補正１】
【補正対象書類名】特許請求の範囲
【補正対象項目名】全文
【補正方法】変更
【補正の内容】
【特許請求の範囲】
【請求項１】
可撓性を有し、内部に液体及び気体が流入する流入口と気体を排出する排気口とが配設された容器本体と、
前記容器本体に収容され、前記流入口から前記容器本体内に流入する液体を吸収する吸水構造体と、を有し、
前記吸水構造体は、透水性を有するシート材と前記シート材に内包された吸水部材とを有し、前記容器本体の内面に沿って複数並設され、
前記容器本体と前記吸水構造体との間、または前記複数の吸水構造体の間の少なくとも一方に、複数の溝部を形成し、
前記複数の溝部は、前記流入口と前記排気口とを連通し気体が通過可能な３以上の複数の流路を形成する、収納容器。
【請求項２】
可撓性を有し、内部に液体及び気体が流入する流入口と気体を排出する排気口とが配設された容器本体と、
前記容器本体に収容され、前記流入口から前記容器本体内に流入する液体を吸収する吸水構造体と、を有し、
前記吸水構造体は、透水性を有するシート材と前記シート材に内包された複数の吸水部材とを有し、当該複数の吸水部材は前記容器本体の内面に沿って並設され、
前記容器本体と前記吸水構造体の間に複数の溝部を形成し、
前記複数の溝部は、前記流入口と前記排気口とを連通し気体が通過可能な３以上の複数の流路を形成する、収納容器。
【請求項３】
前記吸水構造体は、前記容器本体の内面又は前記容器本体に収容された支持板に取着される、請求項１または２に記載の収納容器。
【請求項４】
前記流入口は前記容器本体の下部に配設され、前記排気口は前記容器本体の上部に配設される、請求項１〜３の何れか１項に記載の収納容器。
【請求項５】
前記容器本体は対向する一対の辺を有するように形成され、
前記流入口は前記一対の辺のうちの一方の辺の側に配設され、前記排気口は前記一対の辺の内の他方の辺の側に配設される、請求項１〜４の何れか１項に記載の収納容器。
【請求項６】
前記流路は前記容器本体の一対の辺の伸長方向に設けられている、請求項１〜５のいずれか１項に記載の収納容器。
【請求項７】
前記シート材は不織布である、請求項１〜６の何れか１項に記載の収納容器。
【請求項８】
請求項１〜７の何れか１項に記載の収納容器と、
前記収納容器の排気口に接続され、前記収納容器内の気体を吸引する吸引源と、
を有する収納モジュール。
【手続補正２】
【補正対象書類名】明細書
【補正対象項目名】０００６
【補正方法】変更
【補正の内容】
【０００６】
上記課題を解決する収納容器は、可撓性を有し、内部に液体及び気体が流入する流入口と気体を排気する排気口とが配設された容器本体と、前記容器本体に収容され、前記流入口から前記容器本体内に流入する液体を吸収する吸水構造体と、を有し、前記吸水構造体は、透水性を有するシート材と前記シート材に内包された吸水部材とを有し、前記容器本体の内面に沿って複数並設され、前記容器本体と前記吸水構造体との間、または前記複数の吸水構造体の間の少なくとも一方に、複数の溝部を形成し、前記複数の溝部は、前記流入口と前記排気口とを連通し気体が通過可能な３以上の複数の流路を形成する。
【手続補正３】
【補正対象書類名】明細書
【補正対象項目名】０００７
【補正方法】変更
【補正の内容】
【０００７】
この構成によれば、例えば収納容器の排気口に吸引源が接続され、その吸引源により、流入口から液体を容器本体内に吸引する。容器本体に収容された、透水性を有するシート材とこのシート材に内包された吸水部材とを有する吸水構造体は、容器本体の内面に沿って複数並設され、容器本体内の液体を吸水する。容器本体と吸水構造体との間、または複数の吸水構造体の間の少なくとも一方に形成される複数の溝部が、流入口と前記排気口とを連通し気体が通過可能な３以上の複数の流路を形成することにより、当該複数の流路を介して容器本体内の気体が吸引源に吸引されるため、容器本体内が陰圧となり吸引源の吸引を継続して行うことで容器本体の外部から流入口を介して液体を容器本体内に吸引することができる。また、可撓性を有する容器本体が吸引源の吸引により撓んでも、複数の溝部の大きさ（幅、深さ）を適宜設定することにより、流路を確保することができる。また、容器本体の内面に沿って並設された複数の吸水構造体がそれらの間に一つ以上の溝部を形成し、この溝部が気体の流路を形成し得る。容器本体の内部における吸水構造体の配置の自由度が高くなり、吸水構造体を収納容器の使用形態に応じて複数領域に配置できる。例えば、複数の吸水構造体を同一面内における異なる領域に、例えば、規則的なまたは不規則的な平面パターン（タイル状、モザイク状等）で、隙間をおかずに隣接して、または隙間をおいて分離して、配置できる。吸水構造体の第１組と吸水構造体の第２の組とを重ねて配置でき、容器本体の内部に吸水構造体の２層または多層積層体を配置することができる。複数の吸水構造体の大きさおよび／または形状を、例えば収納容器の使用形態および／または容器本体の形状に応じて適宜設定できる。例えば、複数の吸水構造体は、同じ形状でもよく、異なる形状でもよく、同じ大きさでもよく、異なる大きさでもよい。また、前記吸水部材が透水性を有するシート材に内包されていることにより、シート材による吸水部材の内包によって吸水構造体を容器本体内に効率良く配置することができる。透水性を有するシート材は、例えば毛管現象によって容器本体内の液体を吸水部材に導くことができ、流路を気体の流通可能状態に維持するのに貢献し得る。また、吸水部材がシート材によって内包されるので、吸水部材として利用可能な吸水部材の形態が増加する。例えば粉末吸水部材及び粒状吸水部材などの非ブロック状吸水部材が利用可能となる。なお、少なくとも１つ以上の流路が吸水構造体に挟まれて構成される場合には、容器本体の外部から流入口を介して流入した液体と吸水部材との接触面積を増加させることができ、より多くの液体を吸引することができる。また、吸水部材が流入口より流入した液体を吸水し膨張することで１つの流路が閉塞された場合であっても、他の流路が流入口と排気口とを連通状態に保つことが可能となり、容器本体の外部から流入口を介して液体を容器本体内に吸引することを継続することができる。
【手続補正４】
【補正対象書類名】明細書
【補正対象項目名】０００８
【補正方法】変更
【補正の内容】
【０００８】
上記課題を解決する収納容器は、可撓性を有し、内部に液体及び気体が流入する流入口と気体を排出する排気口とが配設された容器本体と、前記容器本体に収容され、前記流入口から前記容器本体内に流入する液体を吸収する吸水構造体と、を有し、前記吸水構造体は、透水性を有するシート材と前記シート材に内包された複数の吸水部材とを有し、当該複数の吸水部材は前記容器本体の内面に沿って並設され、前記容器本体と前記吸水構造体の間に複数の溝部を形成し、前記複数の溝部は、前記流入口と前記排気口とを連通し気体が通過可能な３以上の複数の流路を形成する。
【手続補正５】
【補正対象書類名】明細書
【補正対象項目名】０００９
【補正方法】変更
【補正の内容】
【０００９】
この構成によれば、例えば収納容器の排気口に吸引源が接続され、その吸引源により、流入口から液体を容器本体内に吸引する。吸水構造体は、透水性を有するシート材と前記シート材に内包された複数の吸水部材とを有し、容器本体の内面に沿って並設されており、容器本体内の液体を吸水する。容器本体と吸水構造体の間に形成される複数の溝部が、流入口と前記排気口とを連通し気体が通過可能な３以上の複数の流路を形成することにより、当該複数の流路を介して容器本体内の気体が吸引源に吸引されるため、容器本体内が陰圧となり吸引源の吸引を継続して行うことで容器本体の外部から流入口を介して液体を容器本体内に吸引することができる。例えば、複数の吸水部材を含む１つの吸水構造体と容器本体とにより複数の溝部を形成することができる。そして、可撓性を有する容器本体が吸引源の吸引により撓んでも、複数の溝部の大きさ（幅、深さ）を適宜設定することにより、流路を確保することができる。また、前記吸水部材が透水性を有するシート材に内包されていることにより、シート材による吸水部材の内包によって吸水構造体を容器本体内に効率良く配置することができる。透水性を有するシート材は、例えば毛管現象によって容器本体内の液体を吸水部材に導くことができ、流路を気体の流通可能状態に維持するのに貢献し得る。また、吸水部材がシート材によって内包されるので、吸水部材として利用可能な吸水部材の形態が増加する。例えば粉末吸水部材及び粒状吸水部材などの非ブロック状吸水部材が利用可能となる。なお、少なくとも１つ以上の流路が吸水構造体に挟まれて構成される場合には、容器本体の外部から流入口を介して流入した液体と吸水部材との接触面積を増加させることができ、より多くの液体を吸引することができる。また、吸水部材が流入口より流入した液体を吸水し膨張することで１つの流路が閉塞された場合であっても、他の流路が流入口と排気口とを連通状態に保つことが可能となり、容器本体の外部から流入口を介して液体を容器本体内に吸引することを継続することができる。
【手続補正６】
【補正対象書類名】明細書
【補正対象項目名】００１１
【補正方法】削除
【補正の内容】
【手続補正７】
【補正対象書類名】明細書
【補正対象項目名】００１６
【補正方法】変更
【補正の内容】
【００１６】
上記の収納容器において、前記流路は前記容器本体の一対の辺の伸長方向に設けられていることが好ましい。この構成によれば、効率良く吸水構造体を配置することができる。
【国際調査報告】
2018092802.tif 000009
2018092802.tif 000010
2018092802.tif 000011